(57)【要約】【課題】  移動端末の消費電力の消耗を招くことなく、サービス利用者がサービス利用中に他に最適なアクセスシステムがあることを通知可能な移動体通信システムを提供する。【解決手段】  コアネットワーク１００内の移動端末管理サーバ１は、アクセスシステム２０２に接続中の移動端末２の移動状態と、移動端末２が接続可能なアクセスシステム種別を管理している。移動端末管理サーバ１は、移動端末２の移動状態に応じて、移動端末２が接続中のアクセスシステム２０２にオーバレイした他の最適なアクセスシステム２０３を検出した時、移動端末２に検出した最適なアクセスシステム２０３の情報を通知する。【選択図】      図１
2007189273.tif 000002
【特許請求の範囲】
【請求項１】
移動端末から接続可能な種別の異なる複数のアクセスシステムを収容するネットワーク装置を含む移動体通信システムであって、
前記移動端末は、前記複数のアクセスシステムに接続するために複数の無線ネットワークインタフェースを有し、
前記ネットワーク装置は、前記移動端末の移動状態を検出する検出手段と、前記検出手段の検出結果を基に当該移動端末が接続可能なアクセスシステムのうち前記移動端末から設定された条件に最適な種別のアクセスシステムを選択する選択手段と、前記選択手段の選択結果を当該移動端末に通知する通知手段とを有することを特徴とする移動体通信システム。
【請求項２】
前記検出手段は、接続中アクセスシステムのアクセスポイント切替えの発生の有無に応じて前記移動端末の移動状態を検出することを特徴とする請求項１記載の移動体通信システム。
【請求項３】
前記通知手段は、前記移動端末が接続中のアクセスシステムにオーバレイした他の最適なアクセスシステムが検出された時に当該他の最適なアクセスシステムを前記移動端末に通知することを特徴とする請求項１または請求項２記載の移動体通信システム。
【請求項４】
前記ネットワーク装置は、前記移動端末から予め登録された接続可能な全てのアクセスシステム種別と利用アクセスシステム接続時間監視タイマ閾値とサービス利用者が望むサービス要求条件とを記憶する記憶手段を含み、
前記選択手段は、管理している利用アクセスシステム接続時間監視タイマ値が前記利用アクセスシステム接続時間監視タイマ閾値を超え、前記移動端末で利用可能なその他アクセスシステムがあるかを検出した時に検出した全てのアクセスシステムを前記サービス要求条件と比較して最適な種別のアクセスシステムを選択することを特徴とする請求項１から請求項３のいずれか記載の移動体通信システム。
【請求項５】
前記サービス要求条件は、使用料金の安いアクセスシステムから選択、高速帯域のアクセスシステムから選択、利用可能なアクセスポイントが多いアクセスシステムから選択の条件を少なくとも含むことを特徴とする請求項４記載の移動体通信システム。
【請求項６】
前記移動端末は、前記通知手段からの通知にしたがって前記アクセスシステムを自動的に切替えることを特徴とする請求項１から請求項５のいずれか記載の移動体通信システム。
【請求項７】
前記複数のアクセスシステムは、２Ｇ（ｓｅｃｏｎｄ  ｇｅｎｅｒａｔｉｏｎ）、３Ｇ（ｔｈｉｒｄ  ｇｅｎｅｒａｔｉｏｎ）、ＷＬＡＮ（Ｗｉｒｅｌｅｓｓ  Ｌｏｃａｌ  Ａｒｅａ  Ｎｅｔｗｏｒｋ）、ＷｉＭＡＸ各々の通信方式のアクセスシステムを少なくとも含むことを特徴とする請求項１から請求項６のいずれか記載の移動体通信システム。
【請求項８】
種別の異なるアクセスシステムに接続するために複数の無線ネットワークインタフェースを実装する移動端末から接続可能な複数のアクセスシステムを収容するネットワーク装置であって、
前記移動端末の移動状態を検出する検出手段と、前記検出手段の検出結果を基に当該移動端末が接続可能なアクセスシステムのうち前記移動端末から設定された条件に最適な種別のアクセスシステムを選択する選択手段と、前記選択手段の選択結果を当該移動端末に通知する通知手段とを有することを特徴とするネットワーク装置。
【請求項９】
前記検出手段は、接続中アクセスシステムのアクセスポイント切替えの発生の有無に応じて前記移動端末の移動状態を検出することを特徴とする請求項８記載のネットワーク装置。
【請求項１０】
前記通知手段は、前記移動端末が接続中のアクセスシステムにオーバレイした他の最適なアクセスシステムが検出された時に当該他の最適なアクセスシステムを前記移動端末に通知することを特徴とする請求項８または請求項９記載のネットワーク装置。
【請求項１１】
前記移動端末から予め登録された接続可能な全てのアクセスシステム種別と利用アクセスシステム接続時間監視タイマ閾値とサービス利用者が望むサービス要求条件とを記憶する記憶手段を含み、
前記選択手段は、管理している利用アクセスシステム接続時間監視タイマ値が前記利用アクセスシステム接続時間監視タイマ閾値を超え、前記移動端末で利用可能なその他アクセスシステムがあるかを検出した時に検出した全てのアクセスシステムを前記サービス要求条件と比較して最適な種別のアクセスシステムを選択することを特徴とする請求項８から請求項１０のいずれか記載のネットワーク装置。
【請求項１２】
前記サービス要求条件は、使用料金の安いアクセスシステムから選択、高速帯域のアクセスシステムから選択、利用可能なアクセスポイントが多いアクセスシステムから選択の条件を少なくとも含むことを特徴とする請求項１１記載のネットワーク装置。
【請求項１３】
前記複数のアクセスシステムが、２Ｇ（ｓｅｃｏｎｄ  ｇｅｎｅｒａｔｉｏｎ）、３Ｇ（ｔｈｉｒｄ  ｇｅｎｅｒａｔｉｏｎ）、ＷＬＡＮ（Ｗｉｒｅｌｅｓｓ  Ｌｏｃａｌ  Ａｒｅａ  Ｎｅｔｗｏｒｋ）、ＷｉＭＡＸ各々の通信方式のアクセスシステムを少なくとも含むことを特徴とする請求項８から請求項１２のいずれか記載のネットワーク装置。
【請求項１４】
種別の異なる複数のアクセスシステムに接続するために複数の無線ネットワークインタフェースを実装する移動端末と、前記種別の異なる複数のアクセスシステムを収容するネットワーク装置とを含む移動体通信システムに用いるアクセスシステム選択方法であって、
前記ネットワーク装置が、前記移動端末の移動状態を検出する検出処理と、前記検出処理の検出結果を基に当該移動端末が接続可能なアクセスシステムのうち前記移動端末から設定された条件に最適な種別のアクセスシステムを選択する選択処理と、前記選択処理の選択結果を当該移動端末に通知する通知処理とを実行することを特徴とするアクセスシステム選択方法。
【請求項１５】
前記検出処理は、接続中アクセスシステムのアクセスポイント切替えの発生の有無に応じて前記移動端末の移動状態を検出することを特徴とする請求項１４記載のアクセスシステム選択方法。
【請求項１６】
前記通知処理は、前記移動端末が接続中のアクセスシステムにオーバレイした他の最適なアクセスシステムが検出された時に当該他の最適なアクセスシステムを前記移動端末に通知することを特徴とする請求項１４または請求項１５記載のアクセスシステム選択方法。
【請求項１７】
前記ネットワーク装置が、前記移動端末から予め登録された接続可能な全てのアクセスシステム種別と利用アクセスシステム接続時間監視タイマ閾値とサービス利用者が望むサービス要求条件とを記憶手段に記憶する処理を実行し、
前記選択処理は、管理している利用アクセスシステム接続時間監視タイマ値が前記利用アクセスシステム接続時間監視タイマ閾値を超え、前記移動端末で利用可能なその他アクセスシステムがあるかを検出した時に検出した全てのアクセスシステムを前記サービス要求条件と比較して最適な種別のアクセスシステムを選択することを特徴とする請求項１４から請求項１６のいずれか記載のアクセスシステム選択方法。
【請求項１８】
前記サービス要求条件は、使用料金の安いアクセスシステムから選択、高速帯域のアクセスシステムから選択、利用可能なアクセスポイントが多いアクセスシステムから選択の条件を少なくとも含むことを特徴とする請求項１７記載のアクセスシステム選択方法。
【請求項１９】
前記移動端末が、前記通知手段からの通知にしたがって前記アクセスシステムを自動的に切替えることを特徴とする請求項１４から請求項１８のいずれか記載のアクセスシステム選択方法。
【請求項２０】
前記複数のアクセスシステムが、２Ｇ（ｓｅｃｏｎｄ  ｇｅｎｅｒａｔｉｏｎ）、３Ｇ（ｔｈｉｒｄ  ｇｅｎｅｒａｔｉｏｎ）、ＷＬＡＮ（Ｗｉｒｅｌｅｓｓ  Ｌｏｃａｌ  Ａｒｅａ  Ｎｅｔｗｏｒｋ）、ＷｉＭＡＸ各々の通信方式のアクセスシステムを少なくとも含むことを特徴とする請求項１４から請求項１９のいずれか記載のアクセスシステム選択方法。
【請求項２１】
種別の異なる複数のアクセスシステムに接続するために複数の無線ネットワークインタフェースを実装する移動端末と、前記種別の異なる複数のアクセスシステムを収容するネットワーク装置とを含む移動体通信システムに用いるアクセスシステム選択方法のプログラムであって、
前記ネットワーク装置のコンピュータに、前記移動端末の移動状態を検出する検出処理と、前記検出処理の検出結果を基に当該移動端末が接続可能なアクセスシステムのうち前記移動端末から設定された条件に最適な種別のアクセスシステムを選択する選択処理と、前記選択処理の選択結果を当該移動端末に通知する通知処理とを実行させるためのプログラム。
【発明の詳細な説明】
【技術分野】
【０００１】
本発明は移動体通信システム、ネットワーク装置及びそれらに用いるアクセスシステム選択方法並びにそのプログラムに関し、特に移動体通信システムにおいて移動端末が利用するアクセスシステムの選択方法に関する。
【背景技術】
【０００２】
近年、移動端末の通信方式としては、２Ｇ（ｓｅｃｏｎｄ  ｇｅｎｅｒａｔｉｏｎ）、３Ｇ（ｔｈｉｒｄ  ｇｅｎｅｒａｔｉｏｎ）、ＷＬＡＮ（Ｗｉｒｅｌｅｓｓ  Ｌｏｃａｌ  Ａｒｅａ  Ｎｅｔｗｏｒｋ）、ＷｉＭＡＸ等の方式が実用化されており、それら複数の方式を一つの端末で使用可能とする技術も提案されている。
【０００３】
この複数の方式を一つの端末で使用可能とする技術としては、交換局が端末をどの通信方式または事業者と接続させるかを決定し、選択した通信方式または事業者を使用して複数モード対応の移動端末との回線を接続する方法がある（例えば、特許文献１参照）。
【０００４】
また、他の技術としては、マルチサービス端末が自局位置を検出し、その位置情報を管理サーバに送ることで得た利用可能な無線システムの情報を基に、利用可能な無線システムの中から選択条件に最適な無線システムを選択して使用する方法がある（例えば、特許文献１参照）。
【０００５】
【特許文献１】特開２００２−０１０３４７号公報
【特許文献２】特開２００３−２５９４５７号公報
【発明の開示】
【発明が解決しようとする課題】
【０００６】
上述した従来の移動体通信システムでは、サービス利用者が複数の無線ネットワークインタフェースを実装する移動端末を用いて、あるアクセスシステムに接続してサービスの提供を受けている場面において、他に適したアクセスシステムが存在していたとしても、サービス利用者が積極的にそのアクセスシステムの存在を知ろうとしない限りアクセスシステムを変更することができないといった問題がある。
【０００７】
上記の特許文献２記載の技術でも、マルチサービス端末があるアクセスシステムに接続してサービスの提供を受けている場面において、他に適したアクセスシステムが存在していたとしても、位置情報を管理サーバに送らなければ利用可能な無線システムの情報を得ることができないため、サービス利用者が積極的にそのアクセスシステムの存在を知ろうとしない限りアクセスシステムを変更することができないといった問題がある。
【０００８】
尚、マルチサービス端末が常に位置情報を管理サーバに送ることで、常に利用可能な無線システムの情報を得ることもできるが、この場合にはマルチサービス端末の消費電力を消耗させるといった問題があるとともに、サービスの提供を受けている場面でも常に利用可能な無線システムの情報を受けることとなり、サービス利用者が煩わしいと感ずることにもなりかねない。
【０００９】
また、従来の移動体通信システムでは、複数の無線ネットワークインタフェースを実装する移動端末が利用できるアクセスシステムを検出するために、常に全てのアクセスシステムの電波監視を行う必要があり、移動端末の消費電力を消耗させるといった問題がある。
【００１０】
上記の特許文献１記載の技術でも、交換局がどの通信方式または事業者を決定するか分からないため、移動端末側で常に全てのアクセスシステムの電波監視を行う必要があり、移動端末の消費電力を消耗させるといった問題がある。
【００１１】
そこで、本発明の目的は上記の問題点を解消し、移動端末の消費電力の消耗を招くことなく、サービス利用者がサービス利用中に他に最適なアクセスシステムがあることを知ることができる移動体通信システム、ネットワーク装置及びそれらに用いるアクセスシステム選択方法並びにそのプログラムを提供することにある。
【課題を解決するための手段】
【００１２】
本発明による移動体通信システムは、移動端末から接続可能な種別の異なる複数のアクセスシステムを収容するネットワーク装置を含む移動体通信システムであって、
前記移動端末は、前記複数のアクセスシステムに接続するために複数の無線ネットワークインタフェースを有し、
前記ネットワーク装置は、前記移動端末の移動状態を検出する検出手段と、前記検出手段の検出結果を基に当該移動端末が接続可能なアクセスシステムのうち前記移動端末から設定された条件に最適な種別のアクセスシステムを選択する選択手段と、前記選択手段の選択結果を当該移動端末に通知する通知手段とを備えている。
【００１３】
本発明によるネットワーク装置は、種別の異なるアクセスシステムに接続するために複数の無線ネットワークインタフェースを実装する移動端末から接続可能な複数のアクセスシステムを収容するネットワーク装置であって、
前記移動端末の移動状態を検出する検出手段と、前記検出手段の検出結果を基に当該移動端末が接続可能なアクセスシステムのうち前記移動端末から設定された条件に最適な種別のアクセスシステムを選択する選択手段と、前記選択手段の選択結果を当該移動端末に通知する通知手段とを備えている。
【００１４】
本発明によるアクセスシステム選択方法は、種別の異なる複数のアクセスシステムに接続するために複数の無線ネットワークインタフェースを実装する移動端末と、前記種別の異なる複数のアクセスシステムを収容するネットワーク装置とを含む移動体通信システムに用いるアクセスシステム選択方法であって、
前記ネットワーク装置が、前記移動端末の移動状態を検出する検出処理と、前記検出処理の検出結果を基に当該移動端末が接続可能なアクセスシステムのうち前記移動端末から設定された条件に最適な種別のアクセスシステムを選択する選択処理と、前記選択処理の選択結果を当該移動端末に通知する通知処理とを実行している。
【００１５】
本発明によるアクセスシステム選択方法のプログラムは、種別の異なる複数のアクセスシステムに接続するために複数の無線ネットワークインタフェースを実装する移動端末と、前記種別の異なる複数のアクセスシステムを収容するネットワーク装置とを含む移動体通信システムに用いるアクセスシステム選択方法のプログラムであって、
前記ネットワーク装置のコンピュータに、前記移動端末の移動状態を検出する検出処理と、前記検出処理の検出結果を基に当該移動端末が接続可能なアクセスシステムのうち前記移動端末から設定された条件に最適な種別のアクセスシステムを選択する選択処理と、前記選択処理の選択結果を当該移動端末に通知する通知処理とを実行させている。
【００１６】
すなわち、本発明の移動体通信システムは、複数のアクセスシステム［２Ｇ（ｓｅｃｏｎｄ  ｇｅｎｅｒａｔｉｏｎ）／３Ｇ（ｔｈｉｒｄ  ｇｅｎｅｒａｔｉｏｎ）／ＷＬＡＮ（Ｗｉｒｅｌｅｓｓ  Ｌｏｃａｌ  Ａｒｅａ  Ｎｅｔｗｏｒｋ）／ＷｉＭＡＸ／他］を収容するネットワーク装置において、複数の無線ネットワークインタフェースを実装する移動端末の移動状態を管理し、ネットワーク装置が最適なアクセスシステムを選択して移動端末に通知することを特徴としている。
【００１７】
より具体的に説明すると、本発明の移動体通信システムでは、コアネットワークが、サービス提供者が管理する複数のアクセスシステムを収容している。アクセスシステムは複数のアクセスシステムを収容するネットワーク装置（移動端末管理サーバ）に接続される１つのアクセスシステムであり、例えば、２Ｇのアクセスポイント、３Ｇのアクセスポイント、ＷＬＡＮのアクセスポイント等がある。移動端末はサービス利用者が所持する複数の無線ネットワークインタフェースを実装している端末であり、例えば、３ＧとＷＬＡＮとを実装し、３ＧやＷＬＡＮのアクセスシステムが利用可能となっている。
【００１８】
コアネットワークは、アクセスシステムに接続中の移動端末の移動状態と、移動端末が接続可能なアクセスシステム種別を管理しており、移動端末の移動状態に応じて、移動端末が接続中のアクセスシステムにオーバレイした他の最適なアクセスシステムを検出した時、移動端末に検出した最適なアクセスシステムを通知する。
【００１９】
これによって、本発明の移動体通信システムでは、サービス利用者に対して他に最適なアクセスシステムがあることを知らせることが可能となり、サービス利用者は最適なアクセスシステムを選択することが可能となる。
【００２０】
また、コアネットワークは移動端末が利用しているアクセスシステムのアクセスポイントの近くに他のアクセスシステムがあるかを検出しているため、移動端末が常に全てのアクセスシステムの電波監視を行う必要がなくなるので、移動端末の消費電力の向上につなげることが可能となる。
【００２１】
つまり、本発明の移動体通信システムでは、サービス利用者が複数の無線ネットワークインタフェースを実装する移動端末を用いて、あるアクセスシステムに接続してサービス提供を受けている場面において、サービス利用者が積極的に他のアクセスシステムの存在を探さなくても、サービス提供者であるコアネットワークが他の最適なアクセスシステムの存在を通知してくれるため、例えば、移動中に３Ｇのアクセスシステムを利用してデータアクセスを行っているサービス利用者が静止した時、静止した地点に３Ｇのアクセスシステムよりも高速データアクセスが可能なＷＬＡＮのアクセスポイントがあることが分かれば、サービス利用者はより高速なサービスを受けることが可能になるというメリットが得られる。
【００２２】
また、本発明の移動体通信システムでは、サービス提供者が人口密集地にＷＬＡＮと３Ｇとを共存させることで、静止中のサービス利用者に対してＷＬＡＮを積極的に利用させて、３Ｇセルの有効活用を図ることが可能となる。一般的に、設置コストはＷＬＡＮアクセスポイントに比べて３Ｇアクセスポイントの方が高いので、サービス提供者は投資コストを抑えることも可能になるというメリットが得られる。
【００２３】
さらに、本発明の移動体通信システムでは、複数の無線ネットワークインタフェースを実装する移動端末において、例えば、ＷＬＡＮと３Ｇとを利用可能な移動端末を想定すると、サービス利用者が３Ｇを選択して通信中、移動端末が行うもう１方のＷＬＡＮの電波監視機能を切断することで、移動端末の消費電力を向上させることが可能となる。この場合、もしＷＬＡＮアクセスポイントが近くにあれば、コアネットワークがその旨を通知してくれるので、サービス利用者はＷＬＡＮも利用可能になるというメリットが得られる。
【発明の効果】
【００２４】
本発明は、上記のような構成及び動作とすることで、移動端末の消費電力の消耗を招くことなく、サービス利用者がサービス利用中に他に最適なアクセスシステムがあることを知ることができるという効果が得られる。
【発明を実施するための最良の形態】
【００２５】
次に、本発明の実施例について図面を参照して説明する。図１は本発明の一実施例による移動体通信システムの構成を示すブロック図である。図１において、本発明の一実施例による移動体通信システムは、コアネットワーク１００内の移動端末管理サーバ１（ネットワーク装置）と、移動端末２と、アクセスシステム２０１〜２０３とから構成されている。
【００２６】
コアネットワーク１００はサービス提供者が管理する複数のアクセスシステム２０１〜２０３［２Ｇ（ｓｅｃｏｎｄ  ｇｅｎｅｒａｔｉｏｎ）／３Ｇ（ｔｈｉｒｄ  ｇｅｎｅｒａｔｉｏｎ）／ＷＬＡＮ（Ｗｉｒｅｌｅｓｓ  Ｌｏｃａｌ  Ａｒｅａ  Ｎｅｔｗｏｒｋ）／ＷｉＭＡＸ／他］を収容するネットワークであり、その内部に移動端末管理サーバ１が配設されている。
【００２７】
アクセスシステム２０１は移動端末管理サーバ１に接続される１つのアクセスシステムであり、例えば、２Ｇのアクセスポイントである。アクセスシステム２０２は移動端末管理サーバ１に接続される１つのアクセスシステムであり、例えば、３Ｇのアクセスポイントである。アクセスシステム２０３は移動端末管理サーバ１に接続される１つのアクセスシステムであり、例えば、ＷＬＡＮのアクセスポイントである。
【００２８】
移動端末２はサービス利用者が所持する上記の複数のアクセスシステム２０１〜２０３を利用するために無線ネットワークインタフェースを実装している端末であり、例えば、３Ｇ及びＷＬＡＮの無線ネットワークインタフェースを実装している端末である。
【００２９】
コアネットワーク１００内の移動端末管理サーバ１は、アクセスシステム２０２に接続中の移動端末２の移動状態と、移動端末２が接続可能なアクセスシステム種別を管理している。移動端末管理サーバ１は、移動端末２の移動状態に応じて、移動端末２が接続中のアクセスシステム２０２にオーバレイした他の最適なアクセスシステム２０３を検出した時、移動端末２に検出した最適なアクセスシステム２０３の情報を通知する。
【００３０】
これによって、本実施例では、サービス利用者に対して他に最適なアクセスシステムがあることを知らせることができ、サービス利用者が最適なアクセスシステムを選択することができる。
【００３１】
また、移動端末管理サーバ１は移動端末２が利用しているアクセスシステム２０２のアクセスポイントの近くに他のアクセスシステム２０３があるかを検出しているため、移動端末２が常に全てのアクセスシステム２０１〜２０３の電波監視を行う必要がなくなるので、移動端末２の消費電力の向上につなげることができる。
【００３２】
図２は図１の移動端末管理サーバ１の構成を示すブロック図である。図２において、移動端末管理サーバ１はＣＰＵ（中央処理装置）１１と、ＣＰＵ１１が実行する制御プログラム１２ａを格納するメインメモリ１２と、移動端末２毎の管理情報を記憶する移動端末（＃１〜＃ｍ）管理情報記憶部１３１〜１３ｍを備えかつＣＰＵ１１が制御プログラム１２ａを実行する際の作業領域として使用される記憶装置１３と、アクセスシステム２０１〜２０３との通信を制御する通信制御部１４とから構成されている。
【００３３】
尚、ＣＰＵ１１、メインメモリ１２、記憶装置１３、通信制御部１４は内部バス１１０にそれぞれ接続されている。また、移動端末２毎の管理情報は個別の記憶部に記憶しなくとも、一つのテーブルに記憶するようにしてもよい。
【００３４】
図３は図２の記憶装置１３に記憶する移動端末２毎の管理情報の内容を示す図である。図３において、移動端末２毎の管理情報としては、サービス利用者が所持する移動端末毎（移動端末＃１から移動端末＃ｍ）に利用可能アクセスシステム種別と、接続中アクセスシステムと、利用アクセスシステム接続時間タイマ閾値と、接続中アクセスシステム切替え処理発生からの接続時間と、サービス要求条件とが管理されている。
【００３５】
図４及び図５は本発明の一実施例による移動端末管理サーバ１の動作を示すフローチャートである。これら図１〜図５を参照して本発明の一実施例による移動端末管理サーバ１の動作について説明する。尚、図４及び図５に示す処理は移動端末管理サーバ１においてＣＰＵ１１が制御プログラム１２ａを実行することで実現される。
【００３６】
図４には移動端末２が移動端末管理サーバ１に対して事前登録を行う場合の移動端末管理サーバ１の処理を示している。移動端末管理サーバ１は移動端末２のサービス利用者が最適アクセスシステム選択機能を利用する場合（図４ステップＳ１）、移動端末２が接続可能な全てのアクセスシステム種別の記憶装置１３への登録（図４ステップＳ２）、利用アクセスシステム接続時間監視タイマ閾値の記憶装置１３への登録（図４ステップＳ３）、サービス利用者が望むサービス要求条件の記憶装置１３への登録（図４ステップＳ４）を行う。
【００３７】
サービス要求条件としては、例えば、使用料金の安いアクセスシステムから選択するとか、高速帯域のアクセスシステムから選択するとか、利用可能なアクセスポイントが多いアクセスシステムから選択するとかの条件等が予め登録されることとなる。
【００３８】
図５にはアクセスシステムを選択する場合の移動端末管理サーバ１の処理を示している。移動端末管理サーバ１は、移動端末２のサービス利用者の移動頻度を、移動端末２が接続中アクセスシステムのアクセスポイントを切替えることなく同じアクセスポイントに接続している時間で管理する。
【００３９】
サービス利用者に移動が発生し、接続中アクセスシステムのアクセスポイント切替えが発生すると（図５ステップＳ１１）、移動端末管理サーバ１は管理している利用アクセスシステム接続時間監視タイマをリセットして初期化する（図５ステップＳ１２）。
【００４０】
サービス利用者の移動がなく、接続中アクセスシステムのアクセスポイント切替えが発生しなければ（図５ステップＳ１１）、移動端末管理サーバ１は管理している利用アクセスシステム接続時間監視タイマ値が、事前登録していた利用アクセスシステム接続時間監視タイマ閾値を超えたかどうかを判断する（図５ステップＳ１３）。
【００４１】
移動端末管理サーバ１は管理している利用アクセスシステム接続時間監視タイマ値が事前登録していた利用アクセスシステム接続時間監視タイマ閾値を超えると、サービス利用者が利用可能なその他アクセスシステムがあるかを検出する（図５ステップＳ１４）。
【００４２】
移動端末管理サーバ１は利用可能なその他アクセスシステムを検出した時、検出した全てのアクセスシステムをサービス利用者が事前登録しているサービス要求条件と比較し（図５ステップＳ１５）、最適アクセスシステムを検出すると、移動端末２のサービス利用者に検出した最適なアクセスシステムの情報を通知する（図５ステップＳ１６）。
【００４３】
このように、本実施例では、サービス利用者が複数の無線ネットワークインタフェースを実装する移動端末２を用いて、あるアクセスシステムに接続してサービス提供を受けている場面において、サービス利用者が積極的に他のアクセスシステムの存在を探さなくても、サービス提供者であるコアネットワークが他の最適なアクセスシステムの存在を通知してくれるため、サービス利用者が他の最適なアクセスシステムを利用することができる。
【００４４】
例えば、移動中に３Ｇのアクセスシステムを利用してデータアクセスを行っているサービス利用者が静止した時、静止した地点に３Ｇのアクセスシステムよりも高速データアクセスが可能なＷＬＡＮのアクセスポイントがあることが分かれば、サービス利用者はより高速なサービスを受けることができるというメリットが得られる。
【００４５】
また、本実施例では、サービス提供者が人口密集地にＷＬＡＮと３Ｇとを共存させることで、静止中のサービス利用者に対してＷＬＡＮを積極的に利用させて、３Ｇセルの有効活用を図ることができる。この場合には、一般的に、アクセスポイントの設置コストはＷＬＡＮアクセスポイントに比べて３Ｇアクセスポイントの方が高いので、サービス提供者がアクセスポイントの投資コストを抑えることができるというメリットが得られる。
【００４６】
さらに、本実施例では、複数の無線ネットワークインタフェースを実装する移動端末において、例えば、ＷＬＡＮ及び３Ｇの無線ネットワークインタフェースを実装する移動端末を想定すると、サービス利用者が３Ｇを選択して通信中、移動端末が行うもう１方のＷＬＡＮの電波監視機能を切断することで、移動端末の消費電力を向上させることができる。この場合には、もしＷＬＡＮアクセスポイントが近くにあれば、そのＷＬＡＮアクセスポイントが近くにあることを移動端末管理サーバ１が通知してくれるので、移動端末２のサービス利用者はＷＬＡＮも利用することができるというメリットが得られる。
【００４７】
尚、本発明は、サービス利用者が事前登録した条件に最適なその他アクセスシステムを検出した時にその結果をサービス利用者に通知しているが、移動端末管理サーバ１からアクセスシステム切替えが通知された場合、移動端末２がその切替え指示にしたがってアクセスシステムを切替える処理を自動的に行うように予め設定しておくことで、サービス利用者がアクセスシステムの切替えを意識しない構造をとることも可能である。
【図面の簡単な説明】
【００４８】
【図１】本発明の一実施例による移動体通信システムの構成を示すブロック図である。
【図２】図１の移動端末管理サーバの構成を示すブロック図である。
【図３】図２の記憶装置に記憶する移動端末２毎の管理情報の内容を示す図である。
【図４】本発明の一実施例による移動端末管理サーバ１の動作を示すフローチャートである。
【図５】本発明の一実施例による移動端末管理サーバ１の動作を示すフローチャートである。
【符号の説明】
【００４９】
１  移動端末管理サーバ
２  移動端末
１１  ＣＰＵ
１２  メインメモリ
１２ａ  制御プログラム
１３  記憶装置
１４  通信制御部
１００  コアネットワーク
１１０  内部バス
１３１〜１３ｍ  移動端末（＃１〜＃ｍ）管理情報記憶部
２０１〜２０３  アクセスシステム
【図１】
2007189273.tif 000003
【図２】
2007189273.tif 000004
【図３】
2007189273.tif 000005
【図４】
2007189273.tif 000006
【図５】
2007189273.tif 000007